(57)【要約】【課題】簡易カードをプリントし易い形態とし、利便性を高めるためにカードの一部に穴を開けた、穴開きカード内蔵貼り合わせシートを提供することを目的とする。【解決手段】前記課題の目的を達成するために、印字用基材と、支持基材とが少なくとも一部に剥離構造を介して貼り合わされた貼り合わせシートであって、印字用基材にはカード形状に引き剥がすための切り込みが形成され、前記切込みの内側には印字用基材を貫通する１以上の穴または穴を形成するための切込みが形成された穴開きカード内蔵貼り合わせシートを提供する。【選択図】  図１
2006123370.tif 000002
【特許請求の範囲】
【請求項１】
印字用基材と、支持基材とが少なくとも一部に剥離構造を介して貼り合わされた貼り合わせシートであって、
印字用基材にはカード形状に引き剥がすための切り込みが形成され、前記切込みの内側には印字用基材を貫通する１以上の穴または穴を形成するための切込みが形成されたことを特徴とする穴開きカード内蔵貼り合わせシート。
【請求項２】
請求項１に記載の穴開きカード内蔵貼り合わせシートにおいて、
支持基材は、少なくとも穴開きカードの全面を支持する状態で貼り合わされたことを特徴とする穴開きカード内蔵貼り合わせシート。
【請求項３】
請求項１，２何れか１項に記載の穴開きカード内蔵貼り合わせシートにおいて、
剥離構造は、印字用基材側に形成された剥離剤と、支持基材側に形成された接着剤であることを特徴とする穴開きカード内蔵貼り合わせシート。
【請求項４】
請求項１，２何れか１項に記載の穴開きカード内蔵貼り合わせシートにおいて、
剥離構造は、粘着剤／フィルム／フィルム／粘着剤／粘着剤保護基材、または、接着剤／剥離剤／フィルム／接着剤からなることを特徴とする穴開きカード内蔵貼り合わせシート。
【発明の詳細な説明】
【技術分野】
【０００１】
本発明は、穴開きカード内蔵貼り合わせシートに関し、詳しくは、簡易カードを情報がプリントし易い形態とし、利便性を高めるためにカードの一部に穴を開けた、穴開きカード内蔵貼り合わせシートに関する。
【背景技術】
【０００２】
近年、剥離構造を介在させた貼り合わせシートが多くの利用分野で提案されている（例えば、特許文献１参照）。
特許文献１で開示されている技術は、剥離構造を接着剤と粘着剤を併せ持たせた構造とし、接着剤で再剥離構造を形成した部分は、持ち帰り伝票領域などとして利用し、粘着剤で再剥離構造を形成した部分は、配送商品に添付する熨斗形成領域として利用する、機能性配送伝票に関する技術である。
【０００３】
【特許文献１】特開２００２−３３１７７８号公報
【発明の開示】
【発明が解決しようとする課題】
【０００４】
本発明は、簡易カードをプリントし易い形態とし、利便性を高めるためにカードの一部に穴を開けた、穴開きカード内蔵貼り合わせシートを提供することを目的とする。
【課題を解決するための手段】
【０００５】
前記課題の目的を達成するために、本発明の穴開きカード内蔵貼り合わせシートの請求項１に記載の発明は、印字用基材と、支持基材とが少なくとも一部に剥離構造を介して貼り合わされた貼り合わせシートであって、印字用基材にはカード形状に引き剥がすための切り込みが形成され、前記切込みの内側には印字用基材を貫通する１以上の穴または穴を形成するための切込みが形成されたことを特徴とするものである。
【０００６】
また、請求項２に記載の発明は、請求項１に記載の発明において、支持基材は、少なくとも穴開きカードの全面を支持する状態で貼り合わされたことを特徴とするものである。
【０００７】
また、請求項３に記載の発明は、請求項１，２何れか１項に記載の発明において、剥離構造は、印字用基材側に形成された剥離剤と、支持基材側に形成された接着剤であることを特徴とするものである。
【０００８】
また、請求項４に記載の発明は、請求項１，２何れか１項に記載の発明において、剥離構造は、粘着剤／フィルム／フィルム／粘着剤／粘着剤保護基材、または、接着剤／剥離剤／フィルム／接着剤からなることを特徴とするものである。
【発明の効果】
【０００９】
１）請求項１に記載のように、印字用基材と、支持基材とが少なくとも一部に剥離構造を介して貼り合わされた貼り合わせシートであって、印字用基材にはカード形状に引き剥がすための切り込みが形成され、前記切込みの内側には印字用基材を貫通する１以上の穴または穴を形成するための切込みが形成されたことによって、カードへの印字を円滑に行うことが可能となり、カード部分を切込みに沿って支持基材から引き剥がして、穴開き部を特異な形状とすることができる。また、穴開き部が穴を形成するための切込みによって形成された場合は、剥がした跡に支持基材側に残った穴の内側紙片にカード面に印字された情報と少なくとも一部同様な情報、または印刷された情報の一部が残り、カードに印字、または印刷された情報と突合せすることによって改ざんや偽造がチェックできる簡易カードとして使用することができる。その他、プライスカード，棚札などに使用することができる。
２）また、請求項２に記載のように、請求項１に記載の発明において、支持基材は、少なくとも穴開きカードの全面を支持する状態で貼り合わされたことによって、切込み部の形成精度が向上する。また、支持基材を必要部分だけに適用できるため、穴開きカード内蔵貼り合わせシートを安価に提供することができる。
３）また、請求項３に記載のように、請求項１，２何れか１項に記載の発明において、剥離構造は、印字用基材側に形成された剥離剤と、支持基材側に形成された接着剤であることによって、カードに形成する穴開き部をカードを貫通した状態で形成することができ、穴開き部に紐を通したり、釘に吊り下げたりすることができる。
４）また、請求項４に記載のように、請求項１，２何れか１項に記載の発明において、剥離構造が、粘着剤／フィルム／フィルム／粘着剤／粘着剤保護基材からなることによって、粘着剤保護基材を剥がしてカードを他の物品、または、他の平面に貼付することができ、フィルムの中間で剥がして使用した場合は、印字用基材とフィルムが貼り合わされた２層構成の腰の強いカードとして利用することができ、さらに、穴開き部の面積を広くすることによって、穴の開口部から表出した粘着部を接着部として利用することができる。
また、剥離構造が、接着剤／剥離層／フィルム／接着剤からなることによって、「接着剤」が非再活性型接着剤の場合は、請求項３に記載のカードと同様に利用することができ、熱、または、水，有機溶剤などによって再活性化する接着剤の場合は、再活性条件を与えることによって前記粘着剤と同様、固定手段として利用することができる。
【発明を実施するための最良の形態】
【００１０】
以下、図面を参照して本発明の穴開きカード内蔵貼り合わせシートについて説明する。
図１は、本発明の穴開きカード内蔵貼り合わせシートの一例について説明するための図，図２は、図１のＡ−Ａ矢視断面の一例について説明するための図，図３と図４は、図１のＡ−Ａ矢視断面の他の一例について説明するための図，図５は、穴開きカードの利用例について説明するための図，図６と図７は、穴開きカードの他の利用例について説明するための図，図８は、穴開き部の穴の内側紙片の利用方法について説明するための図，である。
【００１１】
図１を参照して、本発明の穴開きカード内蔵貼り合わせシートの一例について説明する。
図1は、貼り合わされたシートを印字用基材側から見た穴開きカード内蔵貼り合わせシートの平面図である。
穴開きカード内蔵貼り合わせシート１の印字用基材２には、個人情報がプリントされている。
印字用基材２には、印字用基材２からカード２１を剥ぎ取るための切込み２０が形成され、カードを内蔵した状態になっている。
カード部分には、カードの名称，カードを所持する人のＩＤ番号，氏名がプリントされている。
カードには星の形の穴開き部２１１が印字用基材を貫通する状態、または、切込みによって穴の内側紙片を残した状態で形成されている。
図1のアプリケーションでは、穴開き部２１１は所持者がカードを携帯するための、紐を通す穴として設けられており、一般的に使用される丸い穴と異なって、特徴的な形状にしてある。この特徴的形状は、カードの偽造を困難にする役目も担っている。
偽造対策の他の実施形態については図８で説明する。
【００１２】
図１の穴開きカード内蔵貼り合わせシート１の、印字用基材側のカード以外の領域には、カード所持者に郵送する場合の宛先情報を印字する領域（宛先情報表示部２２１）があって、封筒に形成された窓の位置に対応して設けられている。
カード２１の印字面と、宛先情報表示部２２１の印字面は、同一材質，同一高さで構成されており、プリンターの印字ヘッドの構造を問わず、均質な印字品質が得られるようになっている。
【００１３】
上記、印字用基材の印字面には、多くの場合、デザインや、文字，地紋などの印刷が施されている。
ここで、穴開きカード内蔵貼り合わせシートの作製手順について簡単に説明する。
穴開きカード内蔵貼り合わせシート１は、まず印字用基材に印刷機内で前記印刷が行われた後、同じ印刷機内で穴開き部２１１が形成され、中間製品として保管される。
次に、丁合装置で、上記印字用基材２と、支持基材が接着剤や粘着剤で貼り合わされ、ハーフカット状に切込み２０が形成される。前述の穴開き部が、切込みによって形成される場合は、前記切込み形成時に同時に行われる。
丁合装置は、印字の形態、例えば、カット紙プリンターによって印字されるか、連続フォームの状態で印字されるかによって、シート状に仕上げたり、折り畳まれた連続フォーム状に仕上げる。
【００１４】
図２を参照して、図１のＡ−Ａ矢視断面の一例について説明する。
図２のａ図，ｂ図に示す例は、共に印字用基材２と、印字用基材２と同じ大きさの支持基材３が貼り合わされている例である。
ａ図に示すように、印字用基材２の表出面の宛先情報表示部２２１には、印字の際に使用されるトナーなどの記録材料が形成されている。
印字用基材２と支持基材３の間には剥離構造が形成されている。即ち、印字用基材２の裏面には剥離剤４が印刷などの手段により形成され、支持基材３には接着剤５が形成され、両基材は貼り合わされている。
また、カード２１には穴開き部２１１が印字用基材を貫通する状態で形成されており、カードの周縁には、カード２１を剥ぎ取るための切込み２０が前記接着剤に到達する状態で形成されている。
ｂ図に示すように、カード２１を支持基材３から引き剥がす場合は、剥離剤４と接着剤５の境界で剥離する。
図示しないが、カード部を引き剥がしやすいように、カード部の裏側の一部に、接着剤の非塗布部を設けることもできる。
【００１５】
図３を参照して、図１のＡ−Ａ矢視断面の、他の一例について説明する。
図３のｃ図，ｄ図，ｅ図に示す例は、図２で説明した場合と同様、印字用基材２と、印字用基材２と同じ大きさの支持基材３が貼り合わされている例である。
ｃ図に示すように、印字用基材２の表出面の宛先情報表示部２２１には、印字の際に使用されるトナーなどの記録材料が形成されている。
印字用基材２と支持基材３の間には剥離構造が形成されている。
図３に示す例では、印字用基材２の裏面には粘着剤７が形成され、支持基材３側にも同様粘着剤８が形成され擬似接着構造のフィルム（６１，６２）を介して貼り合わされている。
また、カード２１には穴開き部２１１が印字用基材を貫通する状態で形成されており、カード部の周縁には、カード２１を剥ぎ取るための切込み２０が支持基材側に形成された粘着剤８に到達する状態で形成されている。
ｄ図に示すように、カード２１を支持基材３から引き剥がす場合は、粘着剤８と支持基材３の境界で剥離する。
即ち、図３における支持基材３には、印刷や、コーティングなどの手段によって剥離層を形成した剥離紙を充当する。
【００１６】
ｄ図に示すカード２１には  カード２１の裏側に粘着剤８の層が形成されているために、例えば、カードを衣服に一時的に貼付して展示会などの入場証，説明員バッジなどとして使用することができる。
図２で説明したように、カード部を引き剥がしやすいように、カード部の裏側の一部に、粘着剤の非塗布部を設けることもできる。
また、ｅ図に示すように、ｄ図のカード２１のフィルム１（６１）とフィルム２（６２）の合わせ目から剥がして使用することもできる。
この場合は、粘着剤を支持しているフィルム１（６１）を粘着剤がついた状態でフィルム2（６２）から剥がして使用する。
ｅ図に示すカード２１は、印字用基材２とフィルム２（６２）の積層構造となるために強度が増し、耐久性を必要とする分野に利用することができ、また、粘着剤層が除去されているためにカードホルダーなどに収納して利用することができる。
【００１７】
上述以外に、ｃ図におけるフィルム２（６２）が無く、粘着剤７，８が、例えば、一定以上の熱を加えると活性化する感熱接着剤７´、８´（図示せず）で構成された剥離構造の場合がある。
この剥離構造の場合は、フィルム１（６１）と前述の接着剤７´との間に剥離剤層が形成され、接着剤７´は、剥離剤層との間で剥離する。その結果、露出した接着剤７´、または、接着剤８´を活性化することによって再び接着手段として使用することができるようになっている。
上述の接着剤は、水や、有機溶剤によって活性化する接着剤であってもよい。
【００１８】
図４を参照して、図１のＡ−Ａ矢視断面の他の一例について説明する。
図４に示す実施形態は、図２で説明した実施形態の支持基材が、カード支持基材全面ではなくて、カードの裏側だけの部分に形成された例である。
図４のｇ図に示すようにｆ図の状態から、カード２１を引き剥がして使用する。
ｆ図に示すように、印字用基材２の表出面の宛先情報表示部２２１には、印字の際に使用されるトナーなどの記録材料が形成されている。
印字用基材２と支持基材３の間には剥離構造が形成されている。即ち、印字用基材２の裏面には剥離剤４が印刷などの手段により形成され、支持基材３には接着剤５が形成され両基材が貼り合わされている。
また、カード２１には穴開き部２１１が印字用基材を貫通する状態で形成されており、カード部の周縁には、カード２１を剥ぎ取るための切込み２０が前記接着剤に到達する状態で形成されている。
ｇ図に示すように、カード２１部分と支持基材３は、剥離剤４と接着剤５の境界で剥離する。
【００１９】
図５を参照して、穴開きカードの利用例について説明する。
印字用基材２と支持基材３を図２，図４で説明した剥離構造で貼り合せた場合、剥がされて使用されるカード２１に形成された穴開き部２１１は、カード２１を貫通する状態で形成されているために、図５に示すように紐を通したり、図示しないが穴開き部を釘に吊り下げて名札として使用することができる。
【００２０】
図６を参照して、穴開きカードの他の利用例について説明する。
図６に示すように、カード２１に形成された穴開き部２１１は、特殊な形状の穴開き部とすることができるために、簡単に偽造することができず、セキュリティを高めたカードとして使用することができる。
この使用方法は、印字用基材２と支持基材３を図２，図４，図３の何れの剥離構造で貼り合せ作製した穴開きカード内蔵貼り合わせシートに対しても適用できる。
【００２１】
図７を参照して、穴開きカードの他の利用例について説明する。
印字用基材２と支持基材３を図３で説明した剥離構造で貼り合せた場合、カード２１に形成された穴開き部２１１（波型の線で塗りつぶした部分）には粘着剤７が表出する。
図７に示すように、穴開き部２１１に表出する粘着剤７は、固定手段として利用することができる。
穴開き部２１１を複数形成して面積を分散させてもよい。
その結果、カード２１に棚札情報２１２を表示して、商店の陳列棚のフレームの裏側からカードを貼付し、棚札として使用することができる。
また、カード２１に商品名などをプリントしても、印字用基材の厚さが粘着剤表出面とプリントヘッドとの接着を妨げるためにプリンタの中で穴開きカード内蔵貼り合わせシートがジャムることはない。
【００２２】
図８を参照して、穴開き部の内側紙片の利用方法について説明する。
図８に示す穴開きカード内蔵貼り合わせシート１の場合は、穴開き部２１１が切込みによって形成されており、かーど２１を支持基材から剥がし取ると、支持基材側に穴の内側紙片２１３が図のように残される。
残された穴の内側紙片の表出面を拡大すると、例えば、ｈ図に示すように、微細文字で「Ｎｉｐｐｏｎ  Ｔａｒｏ  ５６７８」と、セキュリティ情報２２２がプリントされている。これは、カード２１上にプリントされているカード情報の一部であることがわかる。
また、ｉ図に示す例は、穴の内側紙片２１３にセキュリティ情報２２３として、地紋パターンが印刷されている例である。
この地紋パターンの延長部は、支持基材から剥ぎ取られたカード２１の穴開き部の周縁部（図示せず）にも印刷されており、この穴開きカード内蔵貼り合わせシート１から剥ぎ取られたカードを再度カード開口部２１０にはめ込むと、地紋パターンが繋がるようになっている。地紋パターンは、マイクロプリントなどで構成されていてもよい。
このように、残された穴開きカード内蔵貼り合わせシートを保存することによって改竄，偽造カードを特定することができる。
【００２３】
（材料）
図２，図３を参照して、本発明の穴開きカード内蔵貼り合わせシートに使用される材料の一例について説明する。
印字用基材２として６４〜１２８ｇ／ｍ2の上質紙，コート紙，クラフト紙などの紙の中から選択して使用する。
また、支持基材３として、４０〜１０５ｇ／ｍ2の比較的薄めの上質紙，コート紙，クラフト紙などの中から選択して使用する。
印刷インキは、市販されているＵＶ乾燥型のオフセットインキや通常のオフセットインキを使用する。
また、図２の剥離構造として、例えば、支持基材に公知の熱可塑性樹脂による接着剤層を形成し、印字用基材に公知の剥離インキを印刷して剥離層として使用する。
図３の剥離構造として、オレフィン樹脂／非オレフィン樹脂を共押し出しによって積層した擬似接着フィルム（フィルム１／フィルム２）の片面に粘着剤を塗布した市販の擬似接着材料を使用し、市販の粘着剤で印字用基材と貼り合わせて使用する。
【産業上の利用可能性】
【００２４】
オフィスに設置されたプリンターなどで容易にプリント可能で、安価な、ＩＤカード，プライスカード，棚札などに利用できる。
【図面の簡単な説明】
【００２５】
【図１】本発明の穴開きカード内蔵貼り合わせシートの一例について説明するための図である。
【図２】図１のＡ−Ａ矢視断面の一例について説明するための図である。
【図３】図１のＡ−Ａ矢視断面の、他の一例について説明するための図である。
【図４】図１のＡ−Ａ矢視断面の、他の一例について説明するための図である。
【図５】穴開きカードの利用例について説明するための図である。
【図６】穴開きカードの他の利用例について説明するための図である。
【図７】穴開きカードの他の利用例について説明するための図である。
【図８】穴開き部の内側紙片の利用方法について説明するための図である。
【符号の説明】
【００２６】
１      穴開きカード内蔵貼り合わせシート
２      印字用基材
３      支持基材，粘着剤保護基材
４      剥離剤
５      接着剤
７，８  粘着剤
２０    切込み
２１    カード
６１    フィルム１
６２    フィルム２
２１０  カード開口部
２１１  穴開き部
２１２  棚札情報
２１３  穴の内側紙片
２２１  宛先情報表示部，記録材料
２２２，２２３  セキュリティ情報
Ｓ      紐
【図１】
2006123370.tif 000003
【図２】
2006123370.tif 000004
【図３】
2006123370.tif 000005
【図４】
2006123370.tif 000006
【図５】
2006123370.tif 000007
【図６】
2006123370.tif 000008
【図７】
2006123370.tif 000009
【図８】
2006123370.tif 000010